(57)【要約】【課題】樹脂体同士の相対移動を抑制して、樹脂体同士の合わせ部の隙間を介した内部への水の浸入を抑制可能な樹脂構造体の提供。【解決手段】樹脂構造体１は、環状の第１側壁部１１を有する第１樹脂体２と、第２側壁部２１を有すると共に、第２側壁部２１の上端縁部と第１側壁部１１の環状の下端縁部の周方向の一部とを合わせるように第１樹脂体２に組み付けられる第２樹脂体７と、環状の第３側壁部３１を有すると共に、第３側壁部３１の環状の上端縁部と少なくとも第２側壁部２１の下端縁部とを合わせるように第２樹脂体７に組み付けられる第３樹脂体８とを備える。第３樹脂体８は、第２側壁部２１の外側を跨いで第１樹脂体２に向けて延びる延出片３５を有する。第１樹脂体２は、延出片３５の先端部を係止する係止部１４を有する。第２側壁部２１は、その外側に位置する延出片３５の一部を保持する保持部２５を備える。【選択図】図８
2020150599.tif 000002
【特許請求の範囲】
【請求項１】
環状の第１側壁部を有する第１樹脂体と、
第２側壁部を有する第２樹脂体であって、前記第２側壁部の上端縁部と、前記第１側壁部の環状の下端縁部における周方向の少なくとも一部と、を合わせるように、前記第１樹脂体に組み付けられる第２樹脂体と、
環状の第３側壁部を有する第３樹脂体であって、前記第３側壁部の環状の上端縁部と、少なくとも前記第２側壁部の下端縁部と、を合わせるように、前記第２樹脂体に組み付けられる第３樹脂体と、
を備える樹脂構造体において、
前記第１樹脂体及び前記第３樹脂体の一方の樹脂体は、前記第２側壁部の外側を跨いで前記第１樹脂体及び前記第３樹脂体の他方の樹脂体に向けて延びる延出片を有し、
前記他方の樹脂体は、前記延出片の先端部を係止する係止部を有し、
前記第２樹脂体の前記第２側壁部は、前記第２側壁部の外側に位置する前記延出片の一部を保持する保持部を備えた、
樹脂構造体。
【請求項２】
請求項１に記載の樹脂構造体において、
前記保持部は、前記延出片が挿通する貫通孔を備えた、
樹脂構造体。
【請求項３】
請求項１又は請求項２に記載の樹脂構造体において、
前記係止部は、前記他方の樹脂体の側壁部に形成された凹部である、
樹脂構造体。
【請求項４】
請求項１乃至請求項３の何れか一項に記載の樹脂構造体において、
前記延出片及び前記保持部は、前記延出片の前記保持部からの分離を抑制するロック機構を備える、
樹脂構造体。
【請求項５】
請求項１乃至請求項４の何れか一項に記載の樹脂構造体において、
前記第２樹脂体は、前記第２側壁部の上端縁部と、前記第１側壁部の環状の下端縁部における周方向の一部と、を合わせるように、前記第１樹脂体に組み付けられ、
前記第３樹脂体は、前記第３側壁部の環状の上端縁部と、前記第１側壁部の環状の下端縁部における周方向の前記一部以外の部分及び前記第２側壁部の下端縁部により構成される環状の下端縁部と、を合わせるように、前記第１樹脂体及び前記第２樹脂体に組み付けられる、
樹脂構造体。
【発明の詳細な説明】
【技術分野】
【０００１】
本発明は、樹脂構造体に関する。
【背景技術】
【０００２】
従来から、車両に搭載されるリレーボックス（電気接続箱）等のように、複数の樹脂体を互いに組み付けて構成される樹脂構造体が広く知られている（例えば、特許文献１を参照）。
【先行技術文献】
【特許文献】
【０００３】
【特許文献１】特開２０１７−０２２８２４号公報
【発明の概要】
【発明が解決しようとする課題】
【０００４】
上述した樹脂構成体では、互いに組み付けられる樹脂体同士の相対移動（ガタ）等に起因して、当該樹脂体同士の合わせ部において隙間が発生し得る。従って、このような樹脂構造体に対して外部から高圧を利用して水を吹き付ける高圧洗浄（以下、単に「高圧洗浄」と呼ぶ）を行う場合等において、この隙間を介して、樹脂構造体の内部に水が浸入し易い。このような水の浸入を抑制することが好ましい。
【０００５】
本発明は、上述した事情に鑑みてなされたものであり、その目的は、互いに組み付けられる樹脂体同士の相対移動（ガタ）を抑制して、樹脂体同士の合わせ部の隙間を介した内部への水の浸入を抑制可能な樹脂構造体を提供することにある。
【課題を解決するための手段】
【０００６】
前述した目的を達成するために、本発明に係る樹脂構造体は、下記［１］〜［５］を特徴としている。
［１］
環状の第１側壁部を有する第１樹脂体と、
第２側壁部を有する第２樹脂体であって、前記第２側壁部の上端縁部と、前記第１側壁部の環状の下端縁部における周方向の少なくとも一部と、を合わせるように、前記第１樹脂体に組み付けられる第２樹脂体と、
環状の第３側壁部を有する第３樹脂体であって、前記第３側壁部の環状の上端縁部と、少なくとも前記第２側壁部の下端縁部と、を合わせるように、前記第２樹脂体に組み付けられる第３樹脂体と、
を備える樹脂構造体において、
前記第１樹脂体及び前記第３樹脂体の一方の樹脂体は、前記第２側壁部の外側を跨いで前記第１樹脂体及び前記第３樹脂体の他方の樹脂体に向けて延びる延出片を有し、
前記他方の樹脂体は、前記延出片の先端部を係止する係止部を有し、
前記第２樹脂体の前記第２側壁部は、前記第２側壁部の外側に位置する前記延出片の一部を保持する保持部を備えた、
樹脂構造体。
［２］
上記［１］に記載の樹脂構造体において、
前記保持部は、前記延出片が挿通する貫通孔を備えた、
樹脂構造体。
［３］
上記［１］又は上記［２］に記載の樹脂構造体において、
前記係止部は、前記他方の樹脂体の側壁部に形成された凹部である、
樹脂構造体。
［４］
上記［１］乃至上記［３］の何れか一つに記載の樹脂構造体において、
前記延出片及び前記保持部は、前記延出片の前記保持部からの分離を抑制するロック機構を備える、
樹脂構造体。
［５］
上記［１］乃至上記「４」の何れか一つに記載の樹脂構造体において、
前記第２樹脂体は、前記第２側壁部の上端縁部と、前記第１側壁部の環状の下端縁部における周方向の一部と、を合わせるように、前記第１樹脂体に組み付けられ、
前記第３樹脂体は、前記第３側壁部の環状の上端縁部と、前記第１側壁部の環状の下端縁部における周方向の前記一部以外の部分及び前記第２側壁部の下端縁部により構成される環状の下端縁部と、を合わせるように、前記第１樹脂体及び前記第２樹脂体に組み付けられる、
樹脂構造体。
【０００７】
上記［１］の構成の樹脂構造体は、第１側壁部と第３側壁部との間に第２側壁部が介装される構造を有する。このため、第１側壁部と第２側壁部との間、及び、第２側壁部と第３側壁部との間において、相対移動（ガタ）が生じ易い。この点、本発明によれば、第１樹脂体及び第３樹脂体の一方の樹脂体から延びて他方の樹脂体の係止部に係止される延出片の一部が、第２樹脂体の保持部によって保持される。換言すれば、第２樹脂体が、第１樹脂体及び第３樹脂体により先端部及び基端部がそれぞれ固定された延出片の中間部に保持（固定）されることになる。従って、第１側壁部と第２側壁部との間、及び、第２側壁部と第３側壁部との間において、相対移動（ガタ）が生じ難くなり、第１側壁部と第２側壁部との合わせ部、又は、第２側壁部と第３側壁部との合わせ部において、当該相対移動（ガタ）に起因する隙間が生じ難くなる。このため、これらの隙間を介して水が樹脂構造体の内部に浸入し難くなる。
【０００８】
更には、第１樹脂体に第２樹脂体を組み付けた状態から、延出片を保持部によって保持した状態を維持しながら、第２樹脂体（及び第１樹脂体）に第３樹脂体を組み付ける作業を行うことができる。この結果、第２樹脂体（及び第１樹脂体）に第３樹脂体を組み付ける作業を容易に行うことができる。
【０００９】
なお、上記［１］の構成の樹脂構成体では、上記［５］の態様に加えて、第２樹脂体が、環状の第２側壁部の環状の上端縁部と、第１側壁部の環状の下端縁部と、を合わせるように、第１樹脂体に組み付けられ、第３樹脂体が、第３側壁部の環状の上端縁部と、環状の第２側壁部の環状の下端縁部と、を合わせるように、第２樹脂体に組み付けられる態様も含まれる。
【００１０】
上記［２］の構成の樹脂構造体によれば、延出片を保持部に設けた貫通孔に貫通させるだけで、延出片を保持部に保持させることが可能となる。
【００１１】
上記［３］の構成の樹脂構造体によれば、延出片の先端部を凹部に嵌め込むだけで、延出片の先端部を係止部に係止させることが可能となる。
【００１２】
上記［４］の構成の樹脂構造体によれば、延出片及び保持部に、第１側壁部と第３側壁部との分離を防止するロック機能を持たせることで、第１樹脂体と第３樹脂体との分離を防止するロック機構の一部を兼用させることができる。
【００１３】
上記［５］の構成の樹脂構造体によれば、樹脂構造体における周方向の一部のみにおいて、第１側壁部と第３側壁部との間に第２側壁部が介装され、樹脂構造体における周方向の前記一部以外の部分において、第１側壁部と第３側壁部とが直接組み付けられる構造となる。従って、この周方向の一部のみにおいて、第１側壁部と第２側壁部との間、及び、第２側壁部と第３側壁部との間において、相対移動（ガタ）が生じ易い構造となる。このような構造においても、本発明によれば、第１側壁部と第２側壁部との間、及び、第２側壁部と第３側壁部との間において、相対移動（ガタ）を生じ難くすることができる。
【発明の効果】
【００１４】
このように、本発明によれば、互いに組み付けられる樹脂体同士の相対移動（ガタ）を抑制して、樹脂体同士の合わせ部の隙間を介した内部への水の浸入を抑制可能な樹脂構造体を提供できる。
【００１５】
以上、本発明について簡潔に説明した。更に、以下に説明される発明を実施するための形態を添付の図面を参照して通読することにより、本発明の詳細は更に明確化されるであろう。
【図面の簡単な説明】
【００１６】
【図１】図１は、本発明の実施形態に係る樹脂構造体の斜視図である。
【図２】図２は、第１、第２アッパカバーのみを分解した樹脂構造体を示す斜視図である。
【図３】図３は、フレームの前端部を拡大して示す斜視図である。
【図４】図４は、アンダカバーの斜視図である。
【図５】図５は、アンダカバーの平面図である。
【図６】図６は、ロアカバーの斜視図である。
【図７】図７は、ロアカバーの前端部を拡大して示す平面図である。
【図８】図８は、フレーム、アンダカバー、及びロアカバーが互いに組み付けられた状態を示す斜視図である。
【図９】図９は、ロアカバーのリブと、アンダカバーの突出部との位置関係を説明するための図である。
【発明を実施するための形態】
【００１７】
＜実施形態＞
以下、図面を参照しながら、図１に示す本発明の実施形態に係る樹脂構造体１について説明する。樹脂構造体１は、典型的には、車両に搭載され、リレー等の電子部品を収容するリレーボックス（電気接続箱）である。以下、説明の便宜上、図１に示すように、「前後方向」、「幅方向」、「上下方向」、「前」、「後」、「上」及び「下」を定義する。「前後方向」、「幅方向」及び「上下方向」は、互いに直交している。樹脂構造体１の車両搭載時において、「前後方向」、「幅方向」及び「上下方向」は、それぞれ、車両の前後方向、幅方向及び上下方向に対応している。
【００１８】
図１及び図２に示すように、樹脂構造体１は、フレーム２と、フレーム２の前端部の上方に組み付けられる第１フロントカバー３及び第２フロントカバー４と、フレーム２の後方側領域の上端開口を塞ぐようにフレーム２の上方に組み付けられる第１アッパカバー５と、フレーム２の前方側領域及び第１フロントカバー３の上端開口を塞ぐようにフレーム２及び第１フロントカバー３の上方に組み付けられる第２アッパカバー６と、フレーム２の前端部の下方に組み付けられるアンダカバー７と、フレーム２及びアンダカバー７の下端開口を塞ぐようにフレーム２及びアンダカバー７の下方に組み付けられるロアカバー８と、フレーム２の幅方向一側の外面（側面）に組み付けられるサイドカバー９と、により構成される。樹脂構造体１を構成する上記８つの部品は全て、樹脂成形体である。
【００１９】
図２に示すように、フレーム２の内部、並びに、第１フロントカバー３（及び第２フロントカバー４）の内部には、リレー等の電子部品（及び、その他の部品）Ｒが収容されている。本発明は、樹脂構造体１のうち、フレーム２、アンダカバー７、及び、ロアカバー８の構造に係る。従って、以下、フレーム２、アンダカバー７、及び、ロアカバー８のみの構造について詳細に説明する。
【００２０】
先ず、フレーム２について説明する。図１〜図３に示すように、フレーム２は、樹脂構造体１の側面の外観の大部分を構成する環状の側壁部１１を備える。側壁部１１の下端部における前端部の複数箇所（本例では、３箇所）の外面には、それぞれ、上下方向に延びる貫通孔を含む係止部１２が一体に設けられている。係止部１２は、アンダカバー７をフレーム２に組み付ける機能を有する。
【００２１】
側壁部１１の下端部における周方向の複数箇所（本例では、８箇所）の外面には、それぞれ、上下方向に延びる貫通孔を含む係止部１３が一体に設けられている。係止部１３は、ロアカバー８をフレーム２に組み付ける機能を有する。
【００２２】
側壁部１１の下端部における前端部の１箇所の外面には、図３に示すように、側壁部１１の厚さ方向に窪み且つ下方に開口する矩形状の凹部１４が形成されている。凹部１４は、ロアカバー８の後述する延出片３５の先端部を嵌め込んで当該先端部を係止する機能を有する。
【００２３】
次に、アンダカバー７について説明する。図４及び図５に示すように、アンダカバー７は、側壁部２１を有する。側壁部２１の上端縁部は、フレーム２の側壁部１１の環状の下端縁部における前端部（周方向の一部）に対応する形状を有する。側壁部２１には、その内面から樹脂構造体１の内部に向けて水平方向に突出する平板状の突出部２２が一体に形成されている。
【００２４】
側壁部２１の上端部における周方向の複数箇所（本例では、３箇所）の外面には、それぞれ、上方に向けて延びる係止片２３が一体に設けられている。係止片２３は、アンダカバー７をフレーム２に組み付ける機能を有する。
【００２５】
側壁部２１の下端部における１箇所の外面には、上下方向に延びる貫通孔を含む係止部２４が一体に設けられている。係止部２４は、ロアカバー８をアンダカバー７に組み付ける機能を有する。
【００２６】
側壁部２１の下端部における他の１箇所の外面には、上下方向に延びる貫通孔２６を含む保持部２５が一体に設けられている。保持部２５は、ロアカバー８の延出片３５を保持する機能を有する。保持部２５には、ロアカバー８の延出片３５に設けられた後述する係止段部３６を係止するための係止爪２７が形成されている。
【００２７】
アンダカバー７の下端部には、下方に開口する半円筒状の溝部２８が形成されている。溝部２８は、樹脂構造体１の内部から外部へ導出される電線（図示省略）が挿通される挿通孔Ｈ（図１及び図８参照）を画成する内壁の上側部分を構成する機能を有する。
【００２８】
次に、ロアカバー８について説明する。図６及び図７に示すように、ロアカバー８は、樹脂構造体１の下側側面の外観の大部分を構成する環状の側壁部３１と、側壁部３１の環状の下端開口を塞ぐと共に樹脂構造体１の底面の外観の大部分を構成する底壁部３２と、を一体に備える。
【００２９】
側壁部３１の環状の上端縁部は、フレーム２の側壁部１１の環状の下端縁部におけるアンダカバー７が組み付けられる前端部（周方向の一部）以外の部分、及び、アンダカバー７の下端縁部、により構成される環状の下端縁部、に対応する形状を有する。
【００３０】
底壁部３２は、前方から後方に向けて上方に傾斜した形状を有する。従って、底壁部３２の内面も、前方から後方に向けて上方に傾斜した形状を有する。
【００３１】
側壁部３１の上端部における周方向の複数箇所（本例では、８箇所）の外面には、それぞれ、上方に向けて延びる係止片３３が一体に設けられている。係止片３３は、ロアカバー８をフレーム２に組み付ける機能を有する。
【００３２】
側壁部３１の上端部における前端部の１箇所の外面には、上方に向けて延びる係止片３４が一体に設けられている。係止片３４は、ロアカバー８をアンダカバー７に組み付ける機能を有する。
【００３３】
側壁部３１の上端部における前端部の他の１箇所の外面には、上方に向けて延びる延出片３５が一体に設けられている。延出片３５は、後述するように、フレーム２の凹部１４との協働により、アンダカバー７を保持する機能を有する。延出片３５には、その外側面にて係止段部３６が形成されている。延出片３５の延出高さは、係止片３３，３４の突出高さより大きい。
【００３４】
ロアカバー８の前端部における上端部には、上方に開口する半円筒状の溝部３７が形成されている。溝部３７は、樹脂構造体１の内部から外部へ導出される電線（図示省略）が挿通される挿通孔Ｈ（図１及び図８参照）を画成する内壁の下側部分を構成する機能を有する。
【００３５】
底壁部３２における前端部には、側壁部３１及び底壁部３２で画成される内部空間において、底壁部３２の内面から上方に向けて突出する複数のリブ３８が形成されている。特に、図７に示すように、本例では、幅方向一側の側壁部３１から幅方向他側に向けて幅方向に延びるリブ３８が前後方向に並ぶように複数形成され、且つ、幅方向他側の側壁部３１から幅方向一側に向けて幅方向に延びるリブ３８が前後方向に並ぶように複数形成されている。リブ３８が有する機能については後述する。
【００３６】
底壁部３２の前端部におけるリブ３８に干渉しない位置には、上下方向に貫通する水抜き孔３９が形成されている。以上、フレーム２、アンダカバー７、及び、ロアカバー８の構造について説明した。
【００３７】
次に、フレーム２、アンダカバー７、及び、ロアカバー８の組み付け手順について説明する。フレーム２、アンダカバー７、及び、ロアカバー８の組み付ける際には、先ず、アンダカバー７をフレーム２に組み付ける。アンダカバー７をフレーム２に組み付けるには、アンダカバー７の複数の係止片２３（図４参照）を、下方からフレーム２の複数の係止部１２の貫通孔にそれぞれ挿入して係止する。これにより、図８に示すように、アンダカバー７の側壁部２１の上端縁部と、フレーム２の環状の側壁部１１の環状の下端縁部における前端部（周方向の一部）と、を合わせるように、アンダカバー７がフレーム２に組み付けられる。
【００３８】
次に、ロアカバー８をフレーム２及びアンダカバー７に組み付ける。ロアカバー８をフレーム２及びアンダカバー７に組み付けるには、先ず、ロアカバー８の延出片３５（図６参照）を、下方からアンダカバー７の保持部２５の貫通孔２６（図４参照）に挿入する。次いで、延出片３５を貫通孔２６に挿入した状態（即ち、延出片３５が保持部２５によって保持された状態）を維持しながら、ロアカバー８の１つの係止片３４をアンダカバー７の１つの係止部２４の貫通孔に挿入して係止すると共に、ロアカバー８の複数の係止片３３をフレーム２の複数の係止部１３の貫通孔にそれぞれ挿入して係止し、且つ、延出片３５の係止段部３６を保持部２５の係止爪２７に係止する。なお、このように、延出片３５を保持部２５によって保持した状態を維持しながら、ロアカバー８をフレーム２及びアンダカバー７に組み付ける作業を行うことができるので、この作業を容易に行うことができる。
【００３９】
これにより、図８に示すように、ロアカバー８の環状の側壁部３１の環状の上端縁部と、フレーム２の環状の側壁部１１の環状の下端縁部におけるアンダカバー７が組み付けられる前端部（周方向の一部）以外の部分及びアンダカバー７の側壁部２１の下端縁部により構成される環状の下端縁部と、を合わせるように、ロアカバー８がフレーム２及びアンダカバー７に組み付けられる。これにより、フレーム２、アンダカバー７、及び、ロアカバー８の互いの組み付けが完了する。
【００４０】
フレーム２、アンダカバー７、及び、ロアカバー８の互いの組み付けが完了した状態（組付完了状態）では、図８に示すように、アンダカバー７の溝部２８と、ロアカバー８の溝部３７とにより、電線（図示省略）が挿通される挿通孔Ｈが画成されている。
【００４１】
また、組付完了状態では、図９に示すように、アンダカバー７の突出部２２が、ロアカバー８の複数のリブ３８の上方に位置する。以下、このようなリブ３８及び突出部２２の配置関係が有する機能について説明する。
【００４２】
樹脂構造体１は、フレーム２とロアカバー８との間にアンダカバー７が介装される構造を有する。このため、フレーム２とアンダカバー７との間、及び、アンダカバー７とロアカバー８との間において、相対移動（ガタ）が生じ易い。従って、側壁部１１と側壁部２１との合わせ部Ｃ１（図８参照）、又は、側壁部２１と側壁部３１との合わせ部Ｃ２（図８参照）において、当該相対移動（ガタ）に起因する隙間が生じる可能性がある。樹脂構造体１に対して前方側から高圧洗浄を行う場合等において、これらの隙間を介して、ロアカバー８における底壁部３２と側壁部３１とで画成される内部空間に水が浸入し易い。上記内部空間に浸入した水の流速が大きい場合には、浸入した水が、底壁部３２の内面及び側壁部３１の内面を伝って跳ね上がり（図６及び図７の白矢印を参照）、跳ね上がった水が、樹脂構造体１の内部の上方に配置された電子部品Ｒ（図２参照）に接触する可能性がある。
【００４３】
このため、樹脂構造体１では、ロアカバー８の内面に複数のリブ３８が設けられている。これにより、前方側から上記内部空間の底壁部３２の内面上に浸入した水を複数のリブ３８に衝突させることで、浸入した水の流れを抑制できる。従って、浸入した水が底壁部３２の内面及び側壁部３１の内面を伝って跳ね上がることを抑制でき、樹脂構造体１の内部の上方に配置された電子部品Ｒに対する防水性を高めることができる。
【００４４】
加えて、リブ３８への衝突に起因してリブ３８の上方に跳ね上がった水を、リブ３８の上方に位置するアンダカバー７の突出部２２に衝突させることで、突出部２２から更に上方への水の移動を抑制できる。この結果、アンダカバー７の突出部２２の上方に位置する電子部品Ｒに対する防水性を高めることができる。以上、リブ３８及び突出部２２の配置関係が有する機能について説明した。
【００４５】
また、組付完了状態では、アンダカバー７の保持部２５に保持されているロアカバー８の延出片３５の先端部が、フレーム２の凹部１４に嵌め込まれることで、凹部１４に係止されている。換言すれば、アンダカバー７が、フレーム２及びロアカバー８により先端部及び基端部がそれぞれ固定された延出片３５の中間部に保持（固定）されることになる。従って、フレーム２とアンダカバー７との間、及び、アンダカバー７とロアカバー８との間において、相対移動（ガタ）が生じ難くなり、フレーム２の側壁部１１とアンダカバー７の側壁部２１との合わせ部Ｃ１、又は、アンダカバー７の側壁部２１とロアカバー８の側壁部３１との合わせ部Ｃ２において、当該相対移動（ガタ）に起因する隙間が生じ難くなる。このため、これらの隙間を介して水が樹脂構造体１の内部に浸入し難くなる。
【００４６】
＜作用・効果＞
以上、本発明の実施形態に係る樹脂構造体１は、フレーム２とロアカバー８との間にアンダカバー７が介装される構造を有する。このため、フレーム２とアンダカバー７との間、及び、アンダカバー７とロアカバー８との間において、相対移動（ガタ）が生じ易い。この点、樹脂構造体１によれば、ロアカバー８から延びてフレーム２の凹部１４に係止される延出片３５の一部が、アンダカバー７の保持部２５によって保持される。換言すれば、アンダカバー７が、フレーム２及びロアカバー８により先端部及び基端部がそれぞれ固定された延出片３５の中間部に保持（固定）されることになる。従って、フレーム２とアンダカバー７との間、及び、アンダカバー７とロアカバー８との間において、相対移動（ガタ）が生じ難くなり、フレーム２の側壁部１１とアンダカバー７の側壁部２１との合わせ部Ｃ１、又は、アンダカバー７の側壁部２１とロアカバー８の側壁部３１との合わせ部Ｃ２において、当該相対移動（ガタ）に起因する隙間が生じ難くなる。このため、これらの隙間を介して水が樹脂構造体１の内部に浸入し難くなる。
【００４７】
更には、フレーム２にアンダカバー７を組み付けた状態から、延出片３５を保持部２５によって保持した状態を維持しながら、フレーム２及びアンダカバー７にロアカバー８を組み付ける作業を行うことができる。この結果、フレーム２及びアンダカバー７にロアカバー８を組み付ける作業を容易に行うことができる。
【００４８】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４９】
上記実施形態では、樹脂構造体１における周方向の一部のみにおいて、フレーム２とロアカバー８との間にアンダカバー７が介装され、樹脂構造体１における周方向の前記一部以外の部分において、フレーム２とロアカバー８とが直接組み付けられる構造となっている。これに対し、樹脂構造体１における周方向の全周に亘って、フレーム２とロアカバー８との間にアンダカバー７が介装される構造であってもよい。この場合、アンダカバー７が、環状のアンダカバー７の側壁部２１の環状の上端縁部と、フレーム２の側壁部１１の環状の下端縁部と、を合わせるように、フレーム２に組み付けられ、ロアカバー８が、ロアカバー８の側壁部３１の環状の上端縁部と、環状の側壁部２１の環状の下端縁部と、を合わせるように、アンダカバー７に組み付けられる。
【００５０】
更に、上記実施形態では、本発明の「保持部」として、貫通孔２６を画成する水平方向の断面形状が略Ｕ字状の形状を有する保持部２５が採用されている（図５参照）。これに対し、本発明の「保持部」として、幅方向に窪む溝を画成する水平方向の断面形状が略Ｌ字状の形状を有する保持部が採用されていてもよい。この場合、延出片３５を保持部に設けた溝に挿通させることで、延出片を保持部に保持させることができる。
【００５１】
更に、上記実施形態では、本発明の「係止部」として、フレーム２の側壁部１１の厚さ方向に窪み且つ下方に開口する矩形状の凹部１４が採用されている（図３参照）。これに対し、本発明の「係止部」として、例えば、延出片３５の先端部を挿入可能な下方に開口し上下方向に延びる係止穴など、延出片３５の先端部を係止可能である限りにおいて、どのような形状を有する係止部が採用されてもよい。
【００５２】
更には、上記実施形態では、ロアカバー８に上方に延びる延出片３５が設けられ、フレーム２に延出片３５の先端部を係止する係止部１４が設けられているが、フレーム２に下方に延びる「延出片」が設けられ、ロアカバー８に「延出片」の先端部を係止する「係止部」が設けられていてもよい。
【００５３】
更に、上記実施形態では、樹脂構造体１が、複数の電子部品Ｒを収容するリレーボックス（電気接続箱）であるが、樹脂構造体１が、リレーボックス（電気接続箱）以外の機能を有する構造体であってもよい。
【００５４】
ここで、上述した本発明に係る樹脂構造体１の実施形態の特徴をそれぞれ以下［１］〜［５］に簡潔に纏めて列記する。
［１］
環状の第１側壁部（１１）を有する第１樹脂体（２）と、
第２側壁部（２１）を有する第２樹脂体（７）であって、前記第２側壁部（２１）の上端縁部と、前記第１側壁部（１１）の環状の下端縁部における周方向の少なくとも一部と、を合わせるように、前記第１樹脂体（２）に組み付けられる第２樹脂体（７）と、
環状の第３側壁部（３１）を有する第３樹脂体（８）であって、前記第３側壁部（３１）の環状の上端縁部と、少なくとも前記第２側壁部（２１）の下端縁部と、を合わせるように、前記第２樹脂体（７）に組み付けられる第３樹脂体（８）と、
を備える樹脂構造体（１）において、
前記第１樹脂体（２）及び前記第３樹脂体（８）の一方の樹脂体（８）は、前記第２側壁部（２１）の外側を跨いで前記第１樹脂体（２）及び前記第３樹脂体（８）の他方の樹脂体（２）に向けて延びる延出片（３５）を有し、
前記他方の樹脂体（２）は、前記延出片（３５）の先端部を係止する係止部（１４）を有し、
前記第２樹脂体（７）の前記第２側壁部（２１）は、前記第２側壁部（２１）の外側に位置する前記延出片（３５）の一部を保持する保持部（２５）を備えた、
樹脂構造体（１）。
［２］
上記［１］に記載の樹脂構造体（１）において、
前記保持部（２５）は、前記延出片（３５）が挿通する貫通孔（２６）を備えた、
樹脂構造体（１）。
［３］
上記［１］又は上記［２］に記載の樹脂構造体（１）において、
前記係止部は、前記他方の樹脂体（２）の側壁部（１１）に形成された凹部（１４）である、
樹脂構造体（１）。
［４］
上記［１］乃至上記［３］の何れか一つに記載の樹脂構造体（１）において、
前記延出片（３５）及び前記保持部（２５）は、前記延出片（３５）の前記保持部（２５）からの分離を抑制するロック機構（２７，３６）を備える、
樹脂構造体（１）。
［５］
上記［１］乃至上記「４」の何れか一つに記載の樹脂構造体（１）において、
前記第２樹脂体（７）は、前記第２側壁部（２１）の上端縁部と、前記第１側壁部（１１）の環状の下端縁部における周方向の一部と、を合わせるように、前記第１樹脂体（２）に組み付けられ、
前記第３樹脂体（８）は、前記第３側壁部（３１）の環状の上端縁部と、前記第１側壁部（１１）の環状の下端縁部における周方向の前記一部以外の部分及び前記第２側壁部（２１）の下端縁部により構成される環状の下端縁部と、を合わせるように、前記第１樹脂体（２）及び前記第２樹脂体（７）に組み付けられる、
樹脂構造体（１）。
【符号の説明】
【００５５】
１      樹脂構造体
２      フレーム（第１樹脂体）
７      アンダカバー（第２樹脂体）
８      ロアカバー（第３樹脂体）
１１    側壁部（第１側壁部）
１４    凹部（係止部）
２１    側壁部（第２側壁部）
２５    保持部
２６    貫通孔
２７    係止爪
３１    側壁部（第３側壁部）
３５    延出片
３６    係止段部
【図１】
2020150599.tif 000003
【図２】
2020150599.tif 000004
【図３】
2020150599.tif 000005
【図４】
2020150599.tif 000006
【図５】
2020150599.tif 000007
【図６】
2020150599.tif 000008
【図７】
2020150599.tif 000009
【図８】
2020150599.tif 000010
【図９】
2020150599.tif 000011